【手続補正書】
【提出日】平成22年7月6日(2010.7.6)
【手続補正１】
【補正対象書類名】特許請求の範囲
【補正対象項目名】全文
【補正方法】変更
【補正の内容】
【特許請求の範囲】
【請求項１】
一対の検出基体が高さ方向に対向して配置されており、入力手段による操作によってデータの入力が可能な入力パネルと、前記入力パネルを収納する筐体とを有する入力装置であって、
前記両検出基体のうち入力側に位置する第１検出基体は、薄膜材により構成された第１基体を有し、前記第１基体は、反入力側に位置する第２検出基体に設けられた第２基体と比較して平面形状が大きく形成されており、
前記筐体は、前記入力パネルのうち前記第２検出基体の側面に対向して配置される側部と、前記第２検出基体の反入力側の底面に対向して配置される支持部とを有し、
前記第１検出基体によって前記筐体の前記側部と前記第２検出基体の側面との間隙を前記筐体の入力側から被覆するように、前記第１検出基体における反入力側の面である内面を前記筐体の前記側部における入力側の頂面に対向させて、前記入力パネルが前記筐体に収納されていることを特徴とする入力装置。
【請求項２】
前記第１検出基体の内面は、前記側部の前記頂面に貼着されていることを特徴とする請求項１に記載の入力装置。
【請求項３】
前記第１基体の内面側には第１検知手段が形成され、前記第２基体における入力側である内面側には第２検知手段が形成されていることを特徴とする請求項１または請求項２に記載の入力装置。
【請求項４】
前記側部は、前記第１検知手段と前記第２検知手段との間隙を所定の寸法に保持するようになっており、前記側部の頂面には、前記第１検出基体の内面との当接部分を基端として、前記筐体における前記入力パネルが配置される内部の方向に傾斜する傾斜面が形成されていることを特徴とする請求項３に記載の入力装置。
【請求項５】
前記傾斜面は、前記第２検出基体の内面との当接部分を基端として、前記第２検知手段における入力側の頂面の高さ位置まで傾斜することを特徴とする請求項４に記載の入力装置。
【請求項６】
前記側部は、前記第１検出基体の内面と、前記第２検知手段が形成されている前記第２検出基体の内面との間隙に配置されるように、前記入力パネルの配置側に突出して形成された突出部を有し、
前記第２検知手段における高さ方向への前記突出部との対向部分を除く部分は、第２検出手段における他の部分と比較して高さ寸法を高く形成された上段部とされており、
前記傾斜面の終端部の高さ位置は、前記上段部の頂面の高さ位置とすることを特徴とする請求項４または請求項５に記載の入力装置。
【請求項７】
前記突出部における反入力側の面は、前記第２検出基体の内面に貼着されていることを特徴とする請求項６に記載の入力装置。
【請求項８】
前記第１基体の反入力側における外周に、装飾層が設けられていることを特徴とする請求項１から請求項７のいずれか１項に記載の入力装置。
【請求項９】
前記装飾層よりも反入力側に第１検知手段が形成され、前記第２基体の入力側に第２検知手段が形成されていることを特徴とする請求項８に記載の入力装置。
【請求項１０】
前記装飾層は、前記入力パネルにおけるデータの入力が可能な入力領域を除く非入力領域に設けられていることを特徴とする請求項８または請求項９に記載の入力装置。
【請求項１１】
前記装飾層は、前記筐体の前記側部と前記第２検出基体の側面との間隙を跨いで形成されていることを特徴とする請求項８ないし１０のいずれか１項に記載の入力装置。
【請求項１２】
入力側に位置する第１基体と、反入力側に位置する第２基体と、前記第１基体の反入力側の外周に設けられた装飾層と、前記装飾層よりも反入力側に設けられた第１検知手段と、前記第２基体の入力側に設けられた第２検知手段とを有し、
前記第１基体は、前記第２基体よりも大きく形成されて、前記第１基体には、前記第２基体から外方にはみ出す外周縁が設けられていることを特徴とする入力パネル。
【請求項１３】
前記装飾層は、前記第１基体の前記外周縁及び前記外周縁よりも内側にかけて形成されていることを特徴とする請求項１２記載の入力パネル。
【請求項１４】
請求項１２または１３に記載された入力パネルと、筐体とを有する入力装置であって、
前記第２基体及び前記第２検知手段は、前記筐体に設けられた収納部に収納され、前記第１基体の外周縁における反入力側の面が、前記筐体の前記収納部を画定する側部の入力側の頂部と対向していることを特徴とする入力装置。
【手続補正２】
【補正対象書類名】明細書
【補正対象項目名】発明の名称
【補正方法】変更
【補正の内容】
【発明の名称】入力装置及び入力パネル
【手続補正３】
【補正対象書類名】明細書
【補正対象項目名】０００９
【補正方法】変更
【補正の内容】
【０００９】
前記目的を達成するため、本発明に係る入力装置の特徴は、一対の検出基体が高さ方向に対向して配置されており、入力手段による操作によってデータの入力が可能な入力パネルと、前記入力パネルを収納する筐体とを有する入力装置であって、
前記両検出基体のうち入力側に位置する第１検出基体は、薄膜材により構成された第１基体を有し、前記第１基体は、反入力側に位置する第２検出基体に設けられた第２基体と比較して平面形状が大きく形成されており、
前記筐体は、前記入力パネルのうち前記第２検出基体の側面に対向して配置される側部と、前記第２検出基体の反入力側の底面に対向して配置される支持部とを有し、
前記第１検出基体によって前記筐体の前記側部と前記第２検出基体の側面との間隙を前記筐体の入力側から被覆するように、前記第１検出基体における反入力側の面である内面を前記筐体の前記側部における入力側の頂面に対向させて、前記入力パネルが前記筐体に収納されている点にある。
【手続補正４】
【補正対象書類名】明細書
【補正対象項目名】００１３
【補正方法】変更
【補正の内容】
【００１３】
また、本発明に係る他の入力装置の特徴は、前記第１基体の内面側に第１検知手段が形成され、前記第２基体における入力側である内面側には第２検知手段が形成され、前記側部は、前記第１検知手段と前記第２検知手段との間隙を所定の寸法に保持するようになっており、前記側部の頂面には、前記第１検出基体の内面との当接部分を基端として、前記筐体における前記入力パネルが配置される内部の方向に傾斜する傾斜面が形成されている点にある。
【手続補正５】
【補正対象書類名】明細書
【補正対象項目名】００２１
【補正方法】変更
【補正の内容】
【００２１】
また、本発明に係る他の入力装置の特徴は、前記第１基体の反入力側における外周に、装飾層が設けられている点にある。
【手続補正６】
【補正対象書類名】明細書
【補正対象項目名】００２５
【補正方法】変更
【補正の内容】
【００２５】
また本発明では、前記装飾層よりも反入力側に第１検知手段が形成され、前記第２基体の入力側に第２検知手段が形成されていることを特徴とするものである。
また本発明では、前記装飾層は、前記筐体の前記側部と前記第２検出基体の側面との間隙を跨いで形成されていることが好ましい。
【手続補正７】
【補正対象書類名】明細書
【補正対象項目名】００２６
【補正方法】変更
【補正の内容】
【００２６】
また本発明における入力パネルは、入力側に位置する第１基体と、反入力側に位置する第２基体と、前記第１基体の反入力側の外周に設けられた装飾層と、前記装飾層よりも反入力側に設けられた第１検知手段と、前記第２基体の入力側に設けられた第２検知手段とを有し、
前記第１基体は、前記第２基体よりも大きく形成されて、前記第１基体には、前記第２基体から外方にはみ出す外周縁が設けられていることを特徴とするものである。
本発明では、前記装飾層は、前記第１基体の前記外周縁及び前記外周縁よりも内側にかけて形成されていることが好ましい。
また本発明は、上記に記載された入力パネルと、筐体とを有する入力装置であって、
前記第２基体及び前記第２検知手段は、前記筐体に設けられた収納部に収納され、前記第１基体の外周縁における反入力側の面が、前記筐体の前記収納部を画定する側部の入力側の頂部と対向していることを特徴とするものである。